(57)【要約】【課題】  より気密性が高く、パッキンの配設が容易なダクト用コーナーピースを提供する。【解決手段】  角ダクト１００の開口端部１００Ａの四隅に配設され、２つの板状の取付部２１を有する略Ｌ字状で、２つの取付部２１の交差部である平板状の角部２４に角部ボルト孔２５が形成されたコーナーピース本体２と、シート状で、コーナーピース本体２の角部２４を覆うように配設されたパッキン３と、を備え、角部ボルト孔２５にボルトを押し込むことでボルトによってパッキン３が貫通される。【選択図】  図１
2019019832.tif 000002
【特許請求の範囲】
【請求項１】
角ダクトの開口端部の四隅に配設され、２つの板状の取付部を有する略Ｌ字状で、前記２つの取付部の交差部である平板状の角部にボルト孔が形成されたコーナーピース本体と、
シート状で、前記コーナーピース本体の角部を覆うように配設されたパッキンと、
を備え、前記ボルト孔にボルトを押し込むことで前記ボルトによって前記パッキンが貫通される、
ことを特徴とするダクト用コーナーピース。
【請求項２】
前記コーナーピース本体の角部が略四角形で、前記パッキンの前記角部を覆う部分が略四角形となっている、
ことを特徴とする請求項１に記載のダクト用コーナーピース。
【請求項３】
前記コーナーピース本体の内角部に、前記取付部に対して略垂直に立ち上がり前記角ダクトの稜線部に対向するツバ部が形成され、
前記パッキンに、前記ツバ部の前記角ダクト側の面を覆うツバ気密部を備える、
ことを特徴とする請求項１または２のいずれか１項に記載のダクト用コーナーピース。
【発明の詳細な説明】
【技術分野】
【０００１】
本発明は、角ダクトの四隅に取り付けられるダクト用コーナーピースに関し、特に、パッキンが配設されたダクト用コーナーピースに関する。
【背景技術】
【０００２】
筒状で断面が略四角形の角ダクトの開口端部には、開口縁に沿って延びるフランジが設けられ、他のダクトなどと接続できるようになっている。すなわち、ダクトを構成する鋼板の端部を曲げて形成された共板フランジの場合、フランジ同士を面合わせして、フランジ押え金物（クリップ）でフランジ同士を挟持する。そして、ダクトの四隅であるフランジの角部に配設したＬ字状のコーナーピースにおいて、ボルト締結することでダクト同士等を接続する（例えば、非特許文献１参照。）。
【０００３】
このとき、コーナーピースにパッキンを配設して、コーナーピースにおける気密性を維持する。また、コーナーピースに見合ったパッキンを設けておくことにより、作業性を向上させる、という角ダクトの面構造が知られている（例えば、特許文献１参照。）。この面構造は、コーナーピースの角部にボルト孔が形成され、さらに、フランジ側の面にボルト孔を避けるように凹部が形成され、この凹部にシート状のパッキンが予め装着されているものである。
【先行技術文献】
【特許文献】
【０００４】
【非特許文献１】「標準ダクトテキスト」一般社団法人  全国ダクト工業団体連合会  編集発行、平成２５年７月、ｐ.３９〜ｐ.４０
【特許文献１】特開平１０−９４５９号公報
【発明の概要】
【発明が解決しようとする課題】
【０００５】
ところで、特許文献１に記載の角ダクトの面構造では、ボルト孔を避けるようにパッキンが配設されているため、ボルト孔周りの気密性が低下するおそれがある。また、複雑な形状をした凹部に複雑な形状のパッキンを装着しなければならず、作業が煩雑で手間と時間を要する。
【０００６】
そこでこの発明は、より気密性が高く、パッキンの配設が容易なダクト用コーナーピースを提供することを目的とする。
【課題を解決するための手段】
【０００７】
上記目的を達成するために請求項１に記載の発明は、角ダクトの開口端部の四隅に配設され、２つの板状の取付部を有する略Ｌ字状で、前記２つの取付部の交差部である平板状の角部にボルト孔が形成されたコーナーピース本体と、シート状で、前記コーナーピース本体の角部を覆うように配設されたパッキンと、を備え、前記ボルト孔にボルトを押し込むことで前記ボルトによって前記パッキンが貫通される、ことを特徴とするダクト用コーナーピースである。
【０００８】
請求項２に記載の発明は、請求項１に記載のダクト用コーナーピースにおいて、前記コーナーピース本体の角部が略四角形で、前記パッキンの前記角部を覆う部分が略四角形となっている、ことを特徴とする。
【０００９】
請求項３に記載の発明は、請求項１または２に記載のダクト用コーナーピースにおいて、前記コーナーピース本体の内角部に、前記取付部に対して略垂直に立ち上がり前記角ダクトの稜線部に対向するツバ部が形成され、前記パッキンに、前記ツバ部の前記角ダクト側の面を覆うツバ気密部を備える、ことを特徴とする。
【発明の効果】
【００１０】
請求項１に記載の発明によれば、コーナーピース本体のボルト孔が形成された角部を覆うようにパッキンが配設されているため、ボルト孔周りの気密性が低下することがなく、より高い気密性が得られる。また、ボルト孔にボルトを押し込むことでボルトによってパッキンが貫通されるため、ボルト孔とボルトとの隙間がパッキンで気密され、より高い気密性が得られる。
【００１１】
一方、コーナーピース本体の平板状の角部にパッキンを配設すればよいため、パッキンの配設を容易かつ適正に行うことができる。さらに、ボルト孔にボルトを押し込むことでボルトによってパッキンが貫通されるため、パッキンにボルト孔を予め形成する必要がない。このため、コーナーピース本体のボルト孔とパッキンのボルト孔とを位置合わせする必要がなく、パッキンの配設をより容易かつ適正に行うことができる。
【００１２】
請求項２に記載の発明によれば、コーナーピース本体の角部が略四角形で、この角部を覆うパッキンの部分も略四角形で、ともに簡易な形状であるため、パッキンの配設をより容易かつ適正に行うことができる。
【００１３】
請求項３に記載の発明によれば、角ダクトの稜線部に対向するコーナーピース本体のツバ部の角ダクト側の面が、パッキンのツバ気密部で覆われる。つまり、角ダクトの稜線部とコーナーピース本体のツバ部との間にパッキンが配置されるため、より高い気密性が得られる。
【図面の簡単な説明】
【００１４】
【図１】この発明の実施の形態に係るダクト用コーナーピースを示す裏面図（ａ）とその側面図（ｂ）である。
【図２】図１のダクト用コーナーピースの表面図である。
【図３】図１のダクト用コーナーピースのコーナーピース本体を示す裏面図（ａ）とその側面図（ｂ）である。
【図４】図３のコーナーピース本体の表面図である。
【図５】図１のダクト用コーナーピースのパッキンを示す表面図（ａ）とその側面図（ｂ）である。
【図６】図１のダクト用コーナーピースの取付状態を示す斜視図である。
【発明を実施するための形態】
【００１５】
以下、この発明を図示の実施の形態に基づいて説明する。
【００１６】
図１〜図６は、この発明の実施の形態を示し、図１は、この実施の形態に係るダクト用コーナーピース１を示す裏面図（ａ）とその側面図（ｂ）である。このダクト用コーナーピース１は、角ダクト１００の四隅に取り付けられる金物であり、コーナーピース本体２とパッキン３とを備える。
【００１７】
ここで、ダクト１００は、図６に示すように、断面が略四角形の筒状体で、耐食鋼板製の４つの壁板１０１で構成されている。すなわち、略長方形状の壁板１０１を四角い筒状に配置して、隣接する壁板１０１の側縁同士を接合して構成されている。ここで、壁板１０１同士の接合部（稜線部１０１ａ）は、固定してもよいし、回動自在にしても（ダクト１００が折り畳み自在であっても）よい。
【００１８】
このようなダクト１００の少なくとも一方の開口端部１００Ａに、環状のフランジが設けられている。すなわち、各壁板１０１の開口端部１００Ａ側にフランジ部１０２が形成され、４つのフランジ部１０２が矩形環状（ロ字状）に配置されることで、フランジが構成されている。また、各フランジ部１０２には、所定位置にボルトを挿入自在なフランジ部ボルト孔１０２ａが形成されている。そして、隣接するフランジ部１０２の端部間、つまり、ダクト１００の開口端部１００Ａの四隅に、ダクト用コーナーピース１が配設される。
【００１９】
コーナーピース本体２は、上記のように、角ダクト１００の開口端部１００Ａの四隅に配設される金物で、図３、図４に示すように、平面形状が略Ｌ字状で、２つの板状の取付部２１を有する。両取付部２１は、略長方形状で、外郭側の側縁である一端縁２１１と、内郭側の側縁である他端縁２１２は、取付部２１の裏面から略垂直に立ち上がってリブ状に形成されている。また、他端縁２１２同士が交わる内角部には、端縁２１１、２１２と同方向に立ち上がったツバ部２２が形成されている。このツバ部２２は、水平断面が略Ｌ字状で、図６に示すように、角ダクト１００の隣接する壁板１０１の稜線部１０１ａに対向、当接するようになっている。
【００２０】
さらに、両取付部２１の自由端部側には、ボルトを挿入自在な取付部ボルト孔２３が形成されている。そして、コーナーピース本体２をダクト１００の開口端部１００Ａの隅に配設した際に、取付部ボルト孔２３とフランジ部ボルト孔１０２ａとが重なり、ボルトによってフランジ部１０２とコーナーピース本体２を共締めできるようになっている。
【００２１】
また、図４に示すように、コーナーピース本体２の２つの取付部２１の交差部である角部２４は、その正面側が凹凸のない平板状で、その平面形状が略四角形となっている。さらに、この角部２４には、ボルトを挿入自在な角部ボルト孔（ボルト孔）２５が形成されている。
【００２２】
パッキン３は、不燃性発砲ウレタンで構成されたシート状で、コーナーピース本体２の角部２４を覆うように配設されるものである。すなわち、図５に示すように、コーナーピース本体２の角部２４を覆う部分である角気密部３１が、角部２４の形状とほぼ同形状の略四角形となっている。ここで、角気密部３１には、角部ボルト孔２５に相当する孔は形成されておらず、角部ボルト孔２５にボルトを押し込むことでボルトによってパッキン３が貫通されるようになっている。すなわち、ボルトを押し込むことで、ボルトが貫通する孔が角気密部３１に形成されるように、パッキン３の材質、厚みｔが設定されている。
【００２３】
さらに、パッキン３には、コーナーピース本体２のツバ部２２の角ダクト１００側の面を覆うツバ気密部３２を備える。すなわち、ツバ部２２の形状とほぼ同形状のツバ気密部３２が、角気密部３１の一角から延びるように形成されている。換言すると、パッキン３の平面形状は、コーナーピース本体２の角部２４とツバ部２２を平面的に展開した形状と、ほぼ同形状となっている。
【００２４】
このような形状のパッキン３の裏面には、接着剤が塗布され、図１、図２に示すように、角気密部３１がコーナーピース本体２の角部２４の表面を覆うように貼り付けられ、ツバ気密部３２がコーナーピース本体２のツバ部２２の表面を覆うように貼り付けられている。このような貼り付けは、作業環境や製造状況などに応じて、角ダクト１００の設置現場で行ってもよいし、設置現場に搬入する前に予め行ってもよい。
【００２５】
次に、このような構成のダクト用コーナーピース１の使用方法について説明する。ここで、角ダクト１００同士を接続する場合を例にして説明する。
【００２６】
まず、角ダクト１００の四隅にダクト用コーナーピース１を取り付ける。すなわち、図６に示すように、コーナーピース本体２の一方の取付部２１をフランジ部１０２の裏面に装着し、他方の取付部２１を隣接するフランジ部１０２の裏面に装着して、フランジ部１０２を取付部２１にかしめてダクト用コーナーピース１を固定する。同様に、接続対象の角ダクト１００にもダクト用コーナーピース１を取り付ける。
【００２７】
この状態では、ダクト用コーナーピース１のパッキン３の角気密部３１が、フランジ部１０２間から露出するとともに、その一部がフランジ部１０２とコーナーピース本体２の取付部２１とで挟持される。また、パッキン３のツバ気密部３２が、角ダクト１００の稜線部１０１ａ周辺とコーナーピース本体２のツバ部２２とで挟持される。このような取付状態で、パッキン３の角気密部３１がフランジ部１０２の表面から突出するように、パッキン３の厚みｔが設定されている。これにより、角ダクト１００同士を接続した際に、角気密部３１が圧縮されて良好な気密効果が得られるようになっている。
【００２８】
次に、２つの角ダクト１００のフランジを合わせて、フランジ部ボルト孔１０２ａと取付部ボルト孔２３にボルトを挿入して、このボルトにナットを締め付ける。続いて、角部ボルト孔２５にボルトを押し込んでパッキン３を貫通させ、このボルトにナットを締め付ける。このような締結作業を、すべてのダクト用コーナーピース１に対して行うものである。
【００２９】
以上のように、このダクト用コーナーピース１によれば、コーナーピース本体２のボルト孔２５が形成された角部２４を覆うようにパッキン３が配設されているため、ボルト孔２５周りの気密性が低下することがなく、より高い気密性が得られる。また、ボルト孔２５にボルトを押し込むことでボルトによってパッキン３が貫通されるため、ボルト孔２５とボルトとの隙間がパッキン３で気密され、より高い気密性が得られる。
【００３０】
一方、コーナーピース本体２の平板状の角部２４にパッキン３を配設すればよいため、パッキン３の配設を容易かつ適正に行うことができる。さらに、ボルト孔２５にボルトを押し込むことでボルトによってパッキン３が貫通されるため、パッキン３にボルト孔を予め形成する必要がない。このため、コーナーピース本体２のボルト孔２５とパッキン３のボルト孔とを位置合わせする必要がなく、パッキン３の配設をより容易かつ適正に行うことができる。
【００３１】
しかも、コーナーピース本体２の角部２４が略四角形で、この角部２４を覆うパッキン３の角気密部３１も略四角形で、ともに簡易な形状であるため、パッキン３の配設をより容易かつ適正に行うことができる。
【００３２】
また、角ダクト１００の稜線部１０１ａに対向するコーナーピース本体２のツバ部２２の角ダクト１００側の面が、パッキン３のツバ気密部３２で覆われるため、つまり、角ダクト１００の稜線部１０１ａとコーナーピース本体２のツバ部２２との間にパッキン３が配置されるため、より高い気密性が得られる。
【００３３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、コーナーピース本体２の取付部２１の端縁２１１、端縁２１２がリブ状に形成されているが、このようなリブを有さないものであってもよい。また、角ダクト１００同士を接続する場合を例にして説明したが、角ダクト１００とチャンバーなどを接続する場合にも適用することができる。
【符号の説明】
【００３４】
１        ダクト用コーナーピース
２        コーナーピース本体
２１      取付部
２２      ツバ部
２３      取付部ボルト孔
２４      角部
２５      角部ボルト孔（ボルト孔）
３        パッキン
３１      角気密部
３２      ツバ気密部
１００    角ダクト
１００Ａ  開口端部
１０１    壁板
１０１ａ  稜線部（接合部）
１０２    フランジ部
【図１】
2019019832.tif 000003
【図２】
2019019832.tif 000004
【図３】
2019019832.tif 000005
【図４】
2019019832.tif 000006
【図５】
2019019832.tif 000007
【図６】
2019019832.tif 000008